(57)【要約】  【課題】現在一般的に使用されている電磁弁において、電磁弁の冷媒通路に付着したゴミを取り除き、商品の過冷却および凍結を防止する。  【解決手段】電磁弁１０１が閉で冷却停止中にも関わらず庫内温度検知サーミスタ１０５の温度が所定温度よりも低下する場合、単数開閉手段１１２により電磁弁１０１を１回開閉することで、電磁弁１０１内の冷媒通路に付着したゴミを取り除き、電磁弁１０１内での冷媒の流動を止めることとなり、商品の過冷却または凍結を防止できることとなる。【選択図】図１
2008112322.tif 000002
【特許請求の範囲】
【請求項１】
電磁弁と蒸発器と圧縮機と凝縮器と庫内温度検知サーミスタを含む自動販売機の冷却ユニットにおいて、前記電磁弁が閉で冷却停止中に前記庫内温度検知サーミスタの温度が所定温度よりも低下する場合、前記電磁弁内で隙間ができ、冷媒が漏れていると判断し、過冷却防止手段により前記電磁弁内での冷媒の流動を止める自動販売機の制御装置。
【請求項２】
前記過冷却防止手段を、前記電磁弁の開閉を制御する電磁弁制御手段とした請求項１に記載の自動販売機の制御装置。
【請求項３】
前記電磁弁制御手段を、前記電磁弁を１回開閉するための単数回開閉手段とした請求項２に記載の自動販売機の制御装置。
【請求項４】
前記電磁弁制御手段を、前記電磁弁の開閉を所定の回数まで繰返すための所定回数回開閉手段とした請求項２に記載の自動販売機の制御装置。
【請求項５】
前記電磁弁制御手段を、前記電磁弁の開閉を所定の時間まで繰返すための所定時間開閉手段とした請求項２に記載の自動販売機の制御装置。
【請求項６】
前記過冷却防止手段を、前記電磁弁の冷媒通路と前記冷媒通路に付着したゴミとの隙間から漏洩する冷媒量を判定し、漏洩冷媒量に適した前記電磁弁の開閉制御を決定する電磁弁開閉頻度決定手段とした請求項１に記載の自動販売機の制御装置。
【請求項７】
前記電磁弁開閉頻度決定手段を、前記電磁弁の開閉回数を決定するための開閉回数決定手段とした請求項６に記載の自動販売機の制御装置。
【請求項８】
前記電磁弁開閉頻度決定手段を、前記電磁弁の開閉時間を決定するための開閉時間決定手段とした請求項６に記載の自動販売機の制御装置。
【請求項９】
前記電磁弁開閉頻度決定手段を、前記電磁弁の開閉速度を決定するための開閉速度決定手段とした請求項６に記載の自動販売機の制御装置。
【請求項１０】
前記単数回開閉手段と前記所定回数回開閉手段と前記所定時間開閉手段から制御手段を選択できる電磁弁制御選択手段を備えた自動販売機の制御装置。
【請求項１１】
前記電磁弁の開閉回数・開閉時間・開閉速度を設定できる電磁弁開閉頻度設定手段を備えた自動販売機の制御装置。
【発明の詳細な説明】
【技術分野】
【０００１】
本発明は自動販売機の電磁弁を制御する自動販売機の制御装置に関するものである。
【背景技術】
【０００２】
従来、この種の電磁弁の制御装置は軸流内の流路を開閉して流体流量を制御する電子制御弁において、ステッピングモーターのステータコアを十分可能な構造で配置している（例えば、特許文献１参照）。
【０００３】
図５は、特許文献１に記載された従来の電磁弁の制御装置を示すものである。図５に示すように、ステッピングモーターのステータコアを分割可能な構造で電子制御弁の筐体８外周部に有し、軸流内の流路を開閉して流体流量を制御する電子制御弁において、筐体８内で流体が流れる軸流中に一部が強磁性体で構成される弁体３を有し、且つ筐体８内にクリーニングディスク或いはクリーニングエッジから構成されている。
【０００４】
以上のように構成された電磁弁の制御装置について、以下その動作を説明する。
【０００５】
まず、ステッピングモーターのステータコア１０を分割可能にすることで、ステータコア１０破損時に配管を切断することなく容易に且つ迅速に交換できるようにしている。又、弁座に溜まるスラッジやコンタミ粉などの汚れを弁体に設けられたクリーニングディスクまたはクリーニングエッジにより常に除去され清浄な弁座を提供することができ、流量減少の問題を解消すると共に、運転開始時にも大きなトルクを必要とせず電子制御弁の小型化が図れ、工業上顕著な効果を奏することとなる。
【特許文献１】特開２００５−４８９４３号公報
【発明の開示】
【発明が解決しようとする課題】
【０００６】
しかしながら、上記従来の構成では、弁体３と弁座４の間に大きなゴミ（ダンボール・木くず・金属等）が付着した場合、クリーニングディスクまたはクリーニングエッジでこれらを取り除くことが困難であり、弁体３と弁座４が密着せずに、生じた隙間から冷媒が漏れるので、冷却停止中にも関わらず冷媒が流れ続けて商品の過冷却および商品が凍結するという課題を有していた。また、上記従来の構成は、現在自動販売機業界で一般的に使用されている電磁弁に較べて構造が複雑で、かつコストが高くなるという問題もあった。
【０００７】
本発明は、上記従来の課題を解決するもので、電磁弁の冷媒通路に付着したゴミを取り除き、商品の過冷却および凍結を防止するとした自動販売機の制御装置を提供することを目的とする。また、低コストで実現することを目的とする。
【課題を解決するための手段】
【０００８】
上記従来の課題を解決するために、本発明の自動販売機の制御装置は、電磁弁の冷媒通路にゴミが付着して庫内温度検知サーミスタの温度が所定温度よりも低下する場合、過冷却防止手段を制御することとしたものである。
【０００９】
これによって、電磁弁を開閉することで、付着したゴミを取り除き、電磁弁内での冷媒の流動を止めることとなる。
【発明の効果】
【００１０】
本発明の自動販売機の制御装置は、万が一、電磁弁が閉で冷却停止中にも関わらず電磁弁の冷媒通路にゴミが付着して冷媒が漏れる場合、電磁弁の開閉を行うことで付着したゴミを取り除き、電磁弁内での冷媒の流動を止めることで、商品の過冷却または凍結を防止できる。さらに、現在自動販売機業界で一般的に使用されている電磁弁で上記従来の課題を解決できるので、電磁弁の構造仕様を変更することなく、低コストでの実現が可能となる。
【発明を実施するための最良の形態】
【００１１】
請求項１に記載の発明は、電磁弁と蒸発器と圧縮機と凝縮器と庫内温度検知サーミスタを含む自動販売機の冷却ユニットにおいて、前記電磁弁が閉で冷却停止中に前記庫内温度検知サーミスタの温度が所定温度よりも低下する場合、前記電磁弁内で隙間ができ、冷媒が漏れていると判断し、過冷却防止手段により前記電磁弁内での冷媒の流動を止めることとなり、商品の過冷却または凍結を防止できる。
【００１２】
請求項２に記載の発明は、請求項１に記載の発明において、過冷却防止手段を、前記電磁弁の開閉を制御する電磁弁制御手段としたことにより、電磁弁と蒸発器と圧縮機と凝縮器と庫内温度検知サーミスタを含む自動販売機の冷却ユニットにおいて、前記電磁弁が閉で冷却停止中にも関わらず前記庫内温度検知サーミスタの温度が所定温度よりも低下する場合、前期電磁弁制御手段により、前記電磁弁内での冷媒の流動を止めることとなり、商品の過冷却または凍結を防止できる。
【００１３】
請求項３に記載の発明は、請求項２に記載の発明において、電磁弁制御手段を、前記電磁弁を１回開閉するための単数回開閉手段としたことにより、電磁弁と蒸発器と圧縮機と凝縮器と庫内温度検知サーミスタを含む自動販売機の冷却ユニットにおいて、前記電磁弁が閉で冷却停止中にも関わらず前記庫内温度検知サーミスタの温度が所定温度よりも低下する場合、前記単数開閉手段により前記電磁弁を１回開閉することで、前記電磁弁内での冷媒の流動を止めることとなり、商品の過冷却または凍結を防止できる。
【００１４】
請求項４に記載の発明は、請求項２に記載の発明において、電磁弁制御手段を、前記電磁弁の開閉を所定の回数まで繰返すための所定回数回開閉手段としたことにより、電磁弁と蒸発器と圧縮機と凝縮器と庫内温度検知サーミスタを含む自動販売機の冷却ユニットにおいて、前記電磁弁が閉で冷却停止中にも関わらず前記庫内温度検知サーミスタの温度が所定温度よりも低下する場合、前記所定回数回開閉手段により前記電磁弁を複数回開閉することで、前記電磁弁内での冷媒の流動を止めることとなり、ゴミが大きい場合でも商品の過冷却または凍結を防止できる。
【００１５】
請求項５に記載の発明は、請求項２に記載の発明において、電磁弁制御手段を、前記電磁弁の開閉を所定の時間まで繰返すための所定時間開閉手段としたことにより、電磁弁と蒸発器と圧縮機と凝縮器と庫内温度検知サーミスタを含む自動販売機の冷却ユニットにおいて、前記電磁弁が閉で冷却停止中にも関わらず前記庫内温度検知サーミスタの温度が所定温度よりも低下する場合、前期所定時間開閉手段により所定の時間、前記電磁弁を開閉することで、前記電磁弁内での冷媒の流動を止めることとなり、ゴミが大きい場合でも商品の過冷却または凍結を防止できる。
【００１６】
請求項６に記載の発明は、請求項１に記載の発明において、過冷却防止手段を、前記電磁弁の冷媒通路と前記冷媒通路に付着したゴミとの隙間から漏洩する冷媒量を判定し、漏洩冷媒量に適した前記電磁弁の開閉制御を決定する電磁弁開閉頻度決定手段としたことにより、漏洩冷媒量が多い場合においても確実にゴミを取り除くことができ、商品の過冷却および凍結を防止できる。
【００１７】
請求項７に記載の発明は、請求項６に記載の発明において、電磁弁開閉頻度決定手段を、前記電磁弁の開閉回数を決定するための開閉回数決定手段としたことにより、前記電磁弁の冷媒通路とゴミの隙間からの漏洩冷媒量に応じて前記電磁弁の開閉回数を決定することとなり、漏洩冷媒量が多い場合においても前記電磁弁の開閉回数を多くすることで、確実にゴミを取り除くことができ、商品の過冷却および凍結を防止できる。
【００１８】
請求項８に記載の発明は、請求項６に記載の発明において、電磁弁開閉頻度決定手段を、開閉時間決定手段とすることにより、前記電磁弁の冷媒通路とゴミの隙間からの漏洩冷媒量に応じて前記電磁弁の開閉時間を決定することとなり、漏洩冷媒量が多い場合においても前記電磁弁の開閉時間を長くすることで、確実にゴミを取り除くことができ、商品の過冷却および凍結を防止できる。
【００１９】
請求項９に記載の発明は、請求項６に記載の発明において、電磁弁開閉頻度決定手段を、開閉速度決定手段とすることにより、前記電磁弁の冷媒通路とゴミの隙間からの漏洩冷媒量に応じて前記電磁弁の開閉速度を決定することとなり、漏洩冷媒量が多い場合においても前記電磁弁の開閉速度を速くすることで、より速くゴミを取り除くことができ、商品の過冷却および凍結を防止できる。
【００２０】
請求項１０に記載の発明は、前記単数回開閉手段と前記所定回数回開閉手段と前記所定時間開閉手段から制御手段を選択できる電磁弁制御選択手段を備えたことで、自由に制御手段を選択でき、過去の経験等から最も有効な制御を常に実施することができる。
【００２１】
請求項１１に記載の発明は、前記電磁弁の開閉回数・開閉時間・開閉速度を設定できる電磁弁開閉頻度設定手段を備えたことで、過去の経験等から最も有効な開閉回数・開閉時間・開閉速度を設定できる。
【００２２】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２３】
（実施の形態１）
図１は、本発明の実施の形態１における自動販売機の制御装置の構成図である。
【００２４】
図２は、本発明の実施の形態１における自動販売機の制御装置の動作を示すフローチャートである。
【００２５】
図１において、主制御部１００は、電磁弁１０１と蒸発器１０２と圧縮機１０３と凝縮器１０４と庫内温度検知サーミスタ１０５（コラムサーミスタ）と電磁弁制御手段１１１（過冷却防止手段）を構成している。さらに、電磁弁制御手段１１１は、単数開閉手段１１２と所定回数開閉手段１１３と所定時間開閉手段１１４を構成しており、これらの構成を順に説明する。
【００２６】
まず、単数開閉手段１１２は、電磁弁１０１を１回開閉するもので、開閉回数が１回であることを記憶する開閉回数記憶部１１２ａと開閉したことをカウントする開閉回数カウント部１１２ｂを構成している。次に、所定回数開閉手段１１３は、電磁弁１０１の開閉を所定の回数（例えば３回）まで繰返すもので、所定の回数を記憶する開閉回数記憶部１１２ａと開閉したことをカウントする開閉回数カウント部１１２ｂを構成している。最後に、所定時間開閉手段１１４は、電磁弁１０１の開閉を所定の時間（例えば１分間）まで繰返すもので、所定の時間を記憶する開閉時間記憶部１１４ａと開閉動作を繰返している時間をカウントする開閉時間カウント部１１４ｂを構成している。
【００２７】
以上のように構成された自動販売機の制御装置について、以下その動作、作用を説明する。
【００２８】
図２において、まず、電磁弁１０１の開閉を確認し（ステップ１）、閉まっている場合、庫内温度検知サーミスタ１０５の温度を確認し（ステップ２）、ステップ３で所定温度以下（例えば電磁弁停止温度より３℃低い温度）の場合、電磁弁制御手段１１１に動作命令を送る。そして、電磁弁制御手段１１１は電磁弁１０１の制御手段を回数制御か時間制御のどちらか一方に決定する（ステップ４）。
【００２９】
ステップ４で回数制御の場合、単数開閉手段１１２（開閉回数１回）または所定回数開閉手段１１３（開閉回数複数回）により電磁弁１０１の開閉を制御する。具体的には電磁弁１０１を１回開いて閉じ（ステップ５）、開閉回数カウント部１１２ｂにより開閉回数を＋１回カウントする。（ステップ６）。そして、開閉回数記憶部１１２ａに記憶されている開閉回数に到達したかを確認する（ステップ７）。ステップ７で開閉回数記憶部１１２ａの開閉回数が１回の場合、所定の開閉回数に到達したため、開閉回数カウント部１１２ｂがカウントした開閉回数をクリアして（ステップ８）、処理を終了する。
【００３０】
また、ステップ７で開閉回数が複数回（例えば３回）の場合、ステップ５〜ステップ７までの処理を開閉回数記憶部１１２ａに記憶されている開閉回数まで繰り返し、所定回数まで到達すれば開閉回数カウント部１１２ｂがカウントした開閉回数をクリアして（ステップ８）、処理を終了する。
【００３１】
ステップ４で回数制御でない（時間制御）場合、所定時間開閉手段１１４により電磁弁１０１の開閉を制御する。まず、電磁弁１０１を１回開いて閉じた後（ステップ９）、開閉時間カウント部１１４ｂによりタイマーをスタートする（ステップ１０）。そして、開閉時間記憶部１１４ａに記憶されている開閉時間に到達したかを確認する（ステップ１１）。ステップ１１で到達時間（例えば１分）に到達した場合、開閉時間カウント部１１４ｂがカウントした時間をクリアして（ステップ１２）、処理を終了する。
【００３２】
また、ステップ１１で所定時間に達していない場合、ステップ９〜ステップ１１までの処理を所定時間に到達するまで繰り返し、所定時間まで到達すれば開閉時間カウント部１１４ｂがカウントした時間をクリアして（ステップ１２）、処理を終了する。
【００３３】
以上のように、本実施の形態においては、電磁弁制御手段１１１（過冷却防止手段）を単数開閉手段１１２とすることにより、電磁弁１０１が閉じているにも関わらず庫内温度検知サーミスタ１０５が所定温度よりも低下する場合、電磁弁１０１の開閉を単数回実施することで電磁弁１０１内に付着したゴミを取り除き、電磁弁１０１の冷媒通路とゴミの隙間から冷媒が漏れないこととなり、商品の過冷却または凍結を防止できる。
【００３４】
また、本実施の形態では、電磁弁制御手段１１１（過冷却防止手段）を所定回数開閉手段１１３とすることにより、電磁弁１０１が閉じているにも関わらず庫内温度検知サーミスタ１０５が所定温度よりも低下し、かつ単数回の電磁弁１０１の開閉でゴミを取り除くことができない場合（ゴミが大きかったり、ゴミの量が多い場合）において、電磁弁１０１の開閉を複数回実施することで確実にゴミを取り除き、電磁弁１０１の冷媒通路とゴミの隙間から冷媒が漏れないこととなり、商品の過冷却または凍結を防止できる。
【００３５】
また、本実施の形態では、電磁弁制御手段１１１（過冷却防止手段）を所定時間開閉手段１１４とすることにより、電磁弁１０１が閉じているにも関わらず庫内温度検知サーミスタ１０５が所定温度よりも低下し、かつ単数回の電磁弁１０１の開閉でゴミを取り除くことができない場合（ゴミが大きかったり、ゴミの量が多い場合）において、電磁弁１０１の開閉を所定の時間実施することで確実ゴミを取り除き、電磁弁１０１の冷媒通路とゴミの隙間から冷媒が漏れないこととなり、商品の過冷却または凍結を防止できる。
【００３６】
なお、ステップ３で所定温度以下を電磁弁停止温度より３℃低い温度としたが、これに限定されるものでない。
【００３７】
また、電磁弁１０１の開閉回数を３回、電磁弁１０１の開閉時間を１分したが、これらに限定されるものでない。
【００３８】
また、庫内温度検知サーミスタ１０５をコラムサーミスタとしたが、これに限定されるものではなく、蒸発器１０２近傍のサーミスタでも同様の効果が得られる。
【００３９】
なお、電磁弁制御手段１１１に単数回開閉手段１１２と所定回数回開閉手段１１３と所定時間開閉手段１１４から制御手段を選択できる電磁弁制御選択手段１１５（例えば自動販売機のリモコン）を備えることで、自由に制御手段を選択でき、過去の経験等から最も有効な制御を常に実施することができる。
【００４０】
（実施の形態２）
図３は、本発明の実施の形態２における自動販売機の制御装置の構成図である。
【００４１】
図４は、本発明の実施の形態２における自動販売機の制御装置の動作を示すフローチャートである。
【００４２】
図３において、主制御部２００は、電磁弁１０１と蒸発器１０２と圧縮機１０３と凝縮器１０４と庫内温度検知サーミスタ１０５と電磁弁開閉頻度決定手段２０１（過冷却防止手段）を構成している。電磁弁開閉頻度決定手段２０１は、漏洩冷媒量判定部２０１ａにより電磁弁１０１の冷媒通路とゴミとの隙間から漏洩する冷媒量を判定することで、漏洩冷媒量に適した電磁弁１０１の開閉制御を決定するものである。
【００４３】
さらに、電磁弁開閉頻度決定手段２０１は、開閉回数決定手段２０２と開閉時間決定手段２０３と開閉速度決定手段２０４を構成しており、これらの構成を順に説明する。
【００４４】
まず、開閉回数決定手段２０２は、電磁弁１０１の開閉回数を決定するもので、開閉回数を記憶する開閉回数記憶部１１２ａを構成している。次に、開閉時間決定手段２０３は、電磁弁１０１の開閉時間を決定するもので、開閉時間記憶部１１４ａを構成している。最後に、開閉時間決定手段２０４は、電磁弁１０１の開閉速度を決定するものであり、開閉速度記憶部２０４ａを構成している。
【００４５】
以上のように構成された自動販売機の制御装置について、以下その動作、作用を説明する。
【００４６】
図４において、まず、庫内温度検知サーミスタ１０５の温度を確認し（ステップ２１）、ステップ２２で冷却停止温度に達した場合、冷却停止温度よりもさらに温度が低下するか確認する（ステップ２３）。そして、さらに温度が低下する場合、漏洩冷媒量判定部２０１ａがタイマーカウントを開始し（ステップ２４）、ステップ２５で庫内温度検知サーミスタ１０５の温度が所定温度に到達するまでタイマーカウントを行う。
【００４７】
そして、所定温度（冷却停止温度より３℃低い温度）に到達すればタイマーカウントをストップし、漏洩冷媒量判定部２０１ａが庫内温度検知サーミスタ１０５の温度低下率を求める（ステップ２７）。具体的には、冷却停止温度から所定温度までにかかった時間を求め、単位時間当たりの低下率を求める。
【００４８】
そして、低下率が大きい場合、電磁弁開閉頻度決定手段２０１が電磁弁１０１の開閉回数を多く設定して開閉回数記憶部１１２ａに記憶し（ステップ２９）、処理を終了する。一方、低下率が小さい場合、電磁弁開閉頻度決定手段２０１が電磁弁１０１の開閉回数を少なく設定して開閉回数記憶部１１２ａに記憶し（ステップ３０）、処理を終了する。
【００４９】
ここで、庫内温度検知サーミスタ１０５の温度低下率の大小について、通常の冷却中の温度低下率に近い場合を低下率大とし、それ以外を低下率小とするが、特にこの定義に限定されるものではない。
【００５０】
また、電磁弁１０１の開閉回数について、開閉回数少ないとは開閉回数が１回の場合で、開閉回数多いとは開閉回数が複数回の場合であり、複数回の回数は特に限定されるものではない。
【００５１】
なお、開閉時間決定手段２０３、開閉速度決定手段２０４の場合も同様に、庫内温度検知サーミスタ１０５の低下率が大きい場合はそれぞれ開閉時間を長く、開閉速度を速く設定して開閉時間記憶部１１４ａ、開閉速度記憶部２０４ａに記憶する。一方、庫内温度検知サーミスタ１０５の低下率が小さい場合はそれぞれ開閉時間を短く、開閉速度を遅く設定して開閉時間記憶部１１４ａ、開閉速度記憶部２０４ａに記憶する。
【００５２】
ここで、電磁弁１０１の開閉時間について、開閉時間が長いとは開閉を繰返す時間が例えば１分以上の場合で、開閉時間が短いとは開閉を繰返す時間が例えば１分未満の場合であるが、特に１分に限定されるものではない。そして、電磁弁１０１の開閉速度について、開閉速度が速いとは電磁弁１０１を開いて閉じるまでの時間が１００ｍｓ以下の場合で、開閉速度が遅いとは電磁弁１０１を開いて閉じるまでの時間が１００ｍｓより大きい場合であるが、特に１００ｍｓに限定されるものではない。
【００５３】
以上のように、本実施の形態においては、電磁弁開閉頻度決定手段２０１（過冷却防止手段）を開閉回数決定手段２０２とすることにより、電磁弁１０１の冷媒通路とゴミの隙間からの漏洩冷媒量に応じて電磁弁１０１の開閉回数を決定する（漏洩冷媒量多い場合は開閉回数を多く、漏洩冷媒量が少ない場合は開閉回数を少なくする）こととなり、漏洩冷媒量が多い場合においても電磁弁１０１の開閉回数を多くすることで、確実にゴミを取り除くことができ、商品の過冷却および凍結を防止できる。
【００５４】
また、電磁弁開閉頻度決定手段２０１（過冷却防止手段）を開閉時間決定手段２０３とすることにより、電磁弁１０１の冷媒通路とゴミの隙間からの漏洩冷媒量に応じて電磁弁１０１の開閉時間を決定する（漏洩冷媒量多い場合は開閉時間を長く、漏洩冷媒量が少ない場合は開閉時間を短くする）こととなり、漏洩冷媒量が多い場合においても電磁弁１０１の開閉時間を長くすることで、確実にゴミを取り除くことができ、商品の過冷却および凍結を防止できる。
【００５５】
また、電磁弁開閉頻度決定手段２０１（過冷却防止手段）を開閉速度決定手段２０３とすることにより、電磁弁１０１の冷媒通路とゴミの隙間からの漏洩冷媒量に応じて電磁弁１０１の開閉速度を決定する（漏洩冷媒量多い場合は開閉速度を速く、漏洩冷媒量が少ない場合は開閉速度を遅くする）こととなり、漏洩冷媒量が多い場合においても電磁弁１０１の開閉速度を速くすることで、より速くゴミを取り除くことができ、商品の過冷却および凍結を防止できる。
【００５６】
また、庫内温度検知サーミスタ１０５をコラムサーミスタとしたが、これに限定されるものではなく、蒸発器１０２近傍のサーミスタでも同様の効果が得られる。
【００５７】
なお、電磁弁開閉頻度決定手段２０１に、電磁弁の開閉回数・開閉時間・開閉速度を設定できる電磁弁開閉頻度設定手段２０５（例えば自動販売機のリモコン）を備えたことにより、過去の経験等から最も有効な開閉回数・開閉時間・開閉速度を設定できる。
【産業上の利用可能性】
【００５８】
以上のように、本発明にかかる自動販売機の制御装置は、電磁弁の冷媒通路に付着したゴミを取り除き商品の過冷却および凍結を防止することが効能となるので、電磁弁を用いた製品等の用途にも適用できる。
【図面の簡単な説明】
【００５９】
【図１】本発明の実施の形態１における自動販売機の制御装置の構成図
【図２】本発明の実施の形態１における自動販売機の制御装置の動作を示すフローチャート
【図３】本発明の実施の形態２における自動販売機の制御装置の構成図
【図４】本発明の実施の形態２における自動販売機の制御装置の動作を示すフローチャート
【図５】従来の電子制御弁の断面図
【符号の説明】
【００６０】
１００，２００  主制御部
１０１  電磁弁
１０２  蒸発器
１０３  圧縮機
１０４  凝縮器
１０５  庫内温度検知サーミスタ
１１１  電磁弁制御手段（過冷却防止手段）
１１２  単数開閉手段（電磁弁制御手段）
１１２ａ  開閉回数記憶部
１１２ｂ  開閉回数カウント部
１１３  所定回数開閉手段（電磁弁制御手段）
１１４  所定時間開閉手段（電磁弁制御手段）
１１４ａ  開閉時間記憶部
１１４ｂ  開閉時間カウント部
１１５  電磁弁制御選択手段
２０１  電磁弁開閉頻度決定手段（過冷却防止手段）
２０１ａ  漏洩冷媒量判定部
２０２  開閉回数決定手段（電磁弁開閉頻度決定手段）
２０３  開閉時間決定手段（電磁弁開閉頻度決定手段）
２０４  開閉速度決定手段（電磁弁開閉頻度決定手段）
２０４ａ  開閉速度記憶部
２０５  電磁弁開閉頻度設定手段
【図１】
2008112322.tif 000003
【図２】
2008112322.tif 000004
【図３】
2008112322.tif 000005
【図４】
2008112322.tif 000006
【図５】
2008112322.tif 000007